(57)【要約】【課題】  内蔵される表示パネルやメインボードの取付構造を工夫することによって表示装置全体の機械的強度を向上させることのできる電子機器を提供すること。【解決手段】  表示パネル２７の背面を受ける表示パネル受け部３３とその表示パネル受け部３３の縁部から立ち上げられて形成された表示パネル固定部３４を有する内部シャーシ２９が、表示装置２の筐体２６ａ、２６ｂに固定されて表示装置２内に収容されており、表示パネル２７はその背面を内部シャーシ２９の表示パネル受け部３３に受けさせて、且つ左右の両端部を表示パネル固定部３４に固定させており、メインボード２８は内部シャーシ２９の表示パネル受け部３３の反対面のメインボード固定部７７に取り付けられている。【選択図】        図１０
2005084192.tif 000002
【特許請求の範囲】
【請求項１】
表示画面を有する表示パネルが収容される表示装置と、
前記表示装置を設置面上に支持するための支持部材と、
少なくとも中央処理装置と記憶装置が搭載され、機器本体を構成するメインボードとを備えた電子機器であって、
前記表示パネルの前記表示画面の反対面を受ける表示パネル受け部と、
前記表示パネル受け部に突出して形成され、前記表示パネルの端部が固定される表示パネル固定部と、
前記表示パネル受け部の反対面に形成され、前記メインボードが固定されるメインボード固定部とを有し、前記表示装置の内部で前記表示装置に固定される内部シャーシを備えている
ことを特徴とする電子機器。
【請求項２】
前記表示パネル固定部は、前記表示パネルの前記端部に対する距離を変えられるように前記表示パネル受け部に揺動自在に片持ち支持されている
ことを特徴とする請求項１に記載の電子機器。
【請求項３】
前記表示装置の周囲を囲むように前記表示装置に枠部材が取り付けられている
ことを特徴とする請求項１に記載の電子機器。
【請求項４】
前記枠部材の一部は前記表示装置の内部へと延出して前記内部シャーシに固定されている
ことを特徴とする請求項３に記載の電子機器。
【請求項５】
前記枠部材において、前記表示装置の上端部に沿って形成された部分は、前記表示装置の前記上端部との間に間隙を隔てて前記上端部に対向している
ことを特徴とする請求項３に記載の電子機器。
【請求項６】
前記枠部材において、前記表示装置の下端部に沿って形成された部分は、前記表示装置の前記下端部との間に間隙を隔てて前記下端部に対向している
ことを特徴とする請求項３に記載の電子機器。
【発明の詳細な説明】
【技術分野】
【０００１】
本発明は、表示パネルと、機能上の機器本体を構成するメインボードとを内蔵した表示装置を有する電子機器に関し、特に、持ち運んで使用されることを想定した機種において表示装置を薄型としつつも強度低下をきたさないように工夫した電子機器に関する。
【背景技術】
【０００２】
従来より、デスクトップ型コンピュータのように、演算処理や制御処理を行う中央処理装置を備えた機器本体と、この機器本体に対する制御処理の指示等を行うためのキーボード等の入力操作板と、機器本体による制御処理の結果や入力操作板による入力内容の表示を行う表示装置を備えた電子機器がある。
【０００３】
従来この種の電子機器にあっては、機器本体と表示装置と入力操作板とがそれぞれ別体として存在し、これらをケーブルによって接続する構成が多く採用されている。
【０００４】
また、近年、家庭内の狭いスペースにおいても使用しやすく、かつ、携帯型のノートブック型コンピュータより高い能力と拡張性を有するデスクトップ型のコンピュータに対する要望が高くなり、機器本体と表示装置とを一体化したものが提案されている。例えば、特許文献１参照。
【特許文献１】特開平９−３２１４５３号公報
【０００５】
しかしながら、機器本体と表示装置とを一体化しただけでは、入力操作板を机上面等の設置面上に載置しなければならず、十分に省スペース化されたとは言えない。特に、入力操作板であるキーボードは操作キーの数も多く、しかも、それら操作キーを平面的に配置した状態で使用しなければならないので設置面上に占めるスペースが大きく、キーボードを使用する必要がないときでも、それが設置面上のスペースを占めていて邪魔になることがある。
【０００６】
そこで、本出願人は、特願２００２−３６９７６６号の特許出願において、機器本体と、表示装置と、入力操作板との３者を一体化した電子機器を提案した。
【０００７】
表示装置は機器本体に傾動可能に支持され、その表示装置の下端部に入力操作板であるキーボードの後端部が回動自在に連結されている。
【０００８】
使用するときには、キーボードが表示装置の下端部からほぼ前方に向かって延びるように位置させて、キートップ面がほぼ上方を向くようにし、キーボードを使用しないときには、キーボードを上方へ回動させて表示装置の表示画面に重ねられる。
【発明の開示】
【発明が解決しようとする課題】
【０００９】
上述したような機器本体と表示装置とが一体とされた電子機器では、表示パネルと、表示パネルの背面（表示画面の反対面）側に配設される中央処理装置などが実装されたメインボードとは、それぞれ別の取付具を介して表示装置に取り付けられ、表示パネルとメインボード各々の筐体に対する取付強度を向上させる工夫は行われていても、表示装置全体の機械的強度を向上させるような取付構造にはなっていない。
【００１０】
特に、最近は家庭内でも無線ＬＡＮ（Local Area Network）の導入が普及しつつあり、例えば液晶表示パネルを用いた表示装置と本体とが一体化された可搬型の電子機器を家の中で移動させて使用する機会も増え、これに伴って表示装置の薄型化が推し進められことが予想される。こうなると、持ち運ぶ際における表示装置の落下や、壁、家具などとの衝突、あるいは設置面上に置く際の衝撃に対する耐性が今後ますます要求されるものと思われる。
【００１１】
本発明は上述の問題に鑑みてなされ、その目的とするところは、内蔵される表示パネルやメインボードの取付構造を工夫することによって表示装置全体の機械的強度を向上させることのできる電子機器を提供することにある。
【課題を解決するための手段】
【００１２】
本発明の電子機器は、
表示画面を有する表示パネルが収容される表示装置と、
この表示装置を設置面上に支持するための支持部材と、
少なくとも中央処理装置と記憶装置が搭載されて機器本体を構成するメインボードと、
表示パネルの表示画面の反対面を受ける表示パネル受け部と、この表示パネル受け部に突出して形成され表示パネルの端部が固定される表示パネル固定部と、表示パネル受け部の反対面に形成されメインボードが固定されるメインボード固定部とを有し、表示装置の内部で表示装置に固定される内部シャーシとを備えていることを特徴としている。
【００１３】
表裏をそれぞれ表示パネル受け部とメインボード固定部として機能させる内部シャーシは、表示パネルを安定して受けるため表示パネルとほぼ同じくらいあるいは少し広い平面寸法を有し、この内部シャーシを挟むようにして表示パネルとメインボードとが重ねられた状態で内部シャーシが表示装置の内部で表示装置の筐体に対して固定される。これら、表示パネル、内部シャーシ、メインボードが重ねられることの相乗効果によって表示パネル、内部シャーシ、メインボード各々が撓みにくくされ、なおかつ、それら表示パネル、内部シャーシ、メインボードの一体化物が表示装置自体の補強板としても機能する。この結果、表示装置の薄型化を妨げることなく、表示パネル、メインボードといった各部品レベルでの機械的強度の向上、および表示装置全体の機械的強度を向上させることができる。
【００１４】
また、表示パネルの端部を例えばねじ止めなどで固定させるための表示パネル固定部はねじ止め箇所に応じて部分的に設けてもよいが、板状の表示パネル受け部（メインボード固定部）の周囲を囲む側壁のようにして表示パネル固定部を形成すれば、内部シャーシをよりいっそう撓みにくくすることができる。
【００１５】
表示パネル固定部を部分的に設けて、表示パネルの端部に対する距離を変えられるように表示パネル受け部に片持ち支持されるようにすれば、表示パネルの横幅寸法のばらつきに対して柔軟に対応できる。これにより、表示パネルに対する表示パネル固定部の接触圧を適正にでき、表示パネルの保護を行える
【００１６】
また、表示パネルとメインボートとは、１つの共通な内部シャーシに対して固定され、これらを１つのユニットとして筐体に対して取り付けることができるので、構造及び組み立て作業を簡略化できる。この結果、部品点数を削減でき、また組み立て効率も向上でき、コスト低減が図れる。
【００１７】
また、表示装置の周囲を囲むように枠部材を取り付ければ、その枠部材が表示装置の落下やぶつかり衝撃に対する防護部材として機能し、表示装置の外的損傷を防げる。
【００１８】
枠部材の材料としては、例えば樹脂、金属などを用いることができる。あるいは、樹脂製中空状ケースの内部に金属製の補強部材を通して内蔵させてもよい。あるいは、そのケースの内部に例えばゴムなどの弾性体を内蔵させれば、枠部材をクッション部材として機能させることができ、表示装置の内部の部品などの衝撃緩和に有効となる。
【００１９】
また、枠部材の一部を表示装置の内部へと延出させて上記内部シャーシに固定させれば、枠部材によって内部シャーシ自体の撓みが抑制できることはもちろん、内部シャーシと枠部材とが表示装置の内と外から相互に作用し合って表示装置全体の機械的強度もよりいっそう向上させることができる。
【００２０】
また、枠部材において表示装置の上端部に沿って形成された部分を、その表示装置の上端部との間に間隙が形成されるようにして対向させれば、表示装置保護用の枠部材を表示装置を把持するためのハンドルとしても機能させることができる。すなわち、枠部材と表示装置上端部との間の間隙に手を差し入れて枠部材をつかんで表示装置を持ち運ぶことができる。
【００２１】
また、枠部材において表示装置の下端部に沿って形成された部分を、その表示装置の下端部との間に間隙が形成されるようにして対向させれば、表示装置を落下させてしまった場合における表示装置下端部への落下衝撃の作用を小さくできる。
【発明の効果】
【００２２】
本発明の電子機器によれば、表示パネルとメインボードとを内部シャーシの表裏に重ねて固定させた状態でこれら３者の一体化物を表示装置の内部に収容させているので、表示パネル、メインボードといった各部品レベルに加えて表示装置全体としても撓みや曲げに対して強くすることができる。
【発明を実施するための最良の形態】
【００２３】
図１〜図４は本実施形態に係る電子機器１の外観図を示す。電子機器１は、表示装置２と、この表示装置２を立たせた姿勢で支持する支持部材３と、表示装置２に対して回動自在に連結された入力操作板５とから主として構成される。図１〜図３に示される状態は入力操作板５が表示画面６の前方に展開された開位置をとっている状態である。図４に示される状態は入力操作板５が表示画面６を覆っている閉位置をとっている状態である。
【００２４】
図１３は、表示装置２から取り外された入力操作板５の斜視図を示す。図１４は図１３から筐体７を取り除いた図である。入力操作板５は、いわゆるキーボードであるが、キー８の他に、電源ボタンなどの各種操作ボタン、更には、タッチパッドやクリックボタンなどを備えていてもよい。
【００２５】
入力操作板５の後端部９ａ、９ｂ側の後部は鉤状に曲げられている。具体的には、入力操作板５の後部は湾曲させられて、後端部９ａ、９ｂが入力操作板５の内表面に向き合うように折り返されている。これにより、入力操作板５には、内表面側に湾曲して立ち上がった後壁部１２が形成される。
【００２６】
後端部９ａと後端部９ｂとの間には切欠き１０が形成されている。この切欠き１０は、図３に示すように表示装置２の背面側の下部中央に出っ張って形成されたバッテリ収納部１１との干渉を防ぐために形成されている。
【００２７】
後端部９ａ、９ｂにはそれぞれにヒンジ部材１３が取り付けられている。具体的には、図１４に示すように、入力操作板５の左右の側部には、後部が鉤状に湾曲した帯状の板金１４が配設されており、この板金１４の後端部にヒンジ部材１３が取り付けられている。板金１４の後部と筐体７の後部との湾曲程度は同じである。
【００２８】
ヒンジ部材１３は、入力操作板５への取付部である第１取付部１５と、この第１取付部１５に一体的に固定されている円筒部１６と、この円筒部１６に対して回動自在に連結され、表示装置２側への取付部である第２取付部部１７とから構成される。第２取付部１７は、図１５に示すように、円筒部１６の外に突出している板状部１８と、この板状部１８に一体的に接続し円筒部１６内に回動自在に嵌合している円柱部１９とからなる。
【００２９】
第１取付部１５は、図１５に示すように、板金１４の後端部に形成されたピン２０によって位置決めされたうえで、３つの貫通孔２１ａ〜２１ｃを通じて板金１４の後端部に締結されるねじによって板金１４の後端部に固定される。
【００３０】
上記入力操作板５はその後端部９ａ、９ｂに取り付けられたヒンジ部材１３を介して、表示装置２の背面に連結される。表示装置２の背面において、入力操作板５との連結箇所である下端部寄りの部分には、図１６に示すように、ヒンジ取付ブロック２２が固定されている。
【００３１】
ヒンジ取付ブロック２２の表面には、表示装置２の横幅方向に沿って凹部２３が形成され、この凹部２３のほぼ中央に位置決めピン２４が突設され、この位置決めピン２４の左右両側にねじ孔２５があけられている。
【００３２】
上述したヒンジ部材１３の板状部１８は、その中央に形成された貫通孔８５ａ（図１５参照）に、図１７に示すように位置決めピン２４が通されて位置決めされたうえでヒンジ取付ブロック２２の凹部２３に嵌められる。板状部１８の貫通孔８５ｂとヒンジ取付ブロック２２のねじ孔２５も位置合わせされ、貫通孔８５ｂを通してねじ孔２５にねじが締結されることで板状部１８がヒンジ取付ブロック２２に固定される。
【００３３】
これにより、ヒンジ部材１３を介して入力操作板５が表示装置２の背面に連結される。板状部１８に一体的な円柱部１９に対して円筒部１６が回動することで、入力操作板５は表示装置２に対して回動する。
【００３４】
表示装置２は、図１０に示す１対の筐体（前部筐体２６ａ、後部筐体２６ｂ）が組み合わされて形成される空間内に、表示パネル２７、メインボード２８、内部シャーシ２９を収容している。後部筐体２６ｂの背面には放熱板３０が被せられ、放熱板３０の背面はバックパネル３１によって覆われる。
【００３５】
内部シャーシ２９は、図１０、１１に示すように、例えばステンレスや鋼などの強度と加工性に優れた材料からなる板厚１ｍｍほどの扁平箱状を呈し、表示パネル２７とメインボード２８の取付部材として機能すると共に表示装置２全体に強度を与える補強部材として機能する。
【００３６】
内部シャーシ２９の上縁部及び左右の側縁部からは側壁部３２が立ち上げられている。側壁部３２は、表示パネル２７の背面を受ける表示パネル受け部３３側に突出している。
【００３７】
この内部シャーシ２９に対して、表示パネル２７とメインボード２８が取り付けられる。なお、内部シャーシ２９自体は、前部筐体２６ａ及び後部筐体２６ｂに例えばねじ止めにて固定される。
【００３８】
表示パネル２７は例えば液晶表示パネルである。あるいは、有機、無機ＥＬ（Electro Luminescence）素子や発光ダイオードを用いた表示パネル、更にはプラズマディスプレイパネルであってもよい。
【００３９】
表示パネル２７はその表示画面６の反対面である背面を、内部シャーシ２９の側壁部３２によって囲まれた表示パネル受け部３３に載せて内部シャーシ２９に収容される。
【００４０】
表示パネル受け部３３の左右の側縁部には、表示パネル固定部３４が形成されている。表示パネル固定部３４は、表示パネル受け部３３の左右それぞれの側縁部における上縁部寄りの位置と下縁部部寄りの位置の２箇所に形成され、両側縁部で合わせて４個形成されている。
【００４１】
各表示パネル固定部３４には貫通孔があけられ、この貫通孔を表示パネル２７の左右の側端部に形成されたねじ孔（図示せず）に位置合わせしたうえで、前記貫通孔を通して前記ねじ孔にねじが締結されて、表示パネル２７は内部シャーシ２９に対して固定される。
【００４２】
通常、液晶表示パネルは例えば横幅方向で±０．５ｍｍほどの公差が生じる。この寸法のばらつきを吸収するために、表示パネル固定部３４の両脇にスリットが形成されて側壁部３２と分離され、更に表示パネル受け部３３との接続部である根元部をくびれさせてこの部分で片持ち支持されるようにしている。
【００４３】
これにより、表示パネル固定部３４において、その根元部はくびれて他の部分より細くされ曲げに対する強度が小さくされ、この根元部を支点に表示パネル固定３４は表示パネル２７の側端部に近づく方向あるいは遠ざかる方向に傾倒可能となっている。
【００４４】
したがって、表示パネル２７の横幅寸法に応じて表示パネル固定部３４を傾倒させて、表示パネル固定部３４が最適な接触圧で表示パネル２７の側端部に接触した状態でねじ止めを行える。これにより、表示パネル２７の側端部に無理な力がかかることがなく、表示パネル２７にストレスを与えない。
【００４５】
メインボード２８は、プリント配線板３５上に、中央処理装置３６や半導体メモリ３７などの半導体部品、その他、抵抗部品、コンデンサ部品、コネクタ、更にはハードディスク装置３９、フレキシブル磁気ディスク装置３８、光ディスク装置４０などが実装されて構成される。メインボード２８は、マザーボードあるいはシステムボードとも呼ばれ、この電子機器１の実質的な本体として機能する。
【００４６】
メインボード２８は、部品などの実装面の反対面を、内部シャーシ２９の背面であるメインボード固定部７７（表示パネル受け部３３の反対面）に向き合わせて例えばねじ止めにてそのメインボード固定部７７に固定される。
【００４７】
表裏面をそれぞれ表示パネル受け部３３とメインボード固定部７７として機能させる内部シャーシ２９は、表示パネル２７を安定して受けるため表示パネル２７とほぼ同じくらいあるいは少し広い平面寸法を有し、この内部シャーシ２９を挟むようにして表示パネル２７とメインボード２８とが重ねられた状態で内部シャーシ２９が表示装置２の筐体２６ａ、２６ｂに対して固定される。
【００４８】
これら、表示パネル２７、内部シャーシ２９、メインボード２８が重ねられることの相乗効果によって表示パネル２７、内部シャーシ２９、メインボード２８各々が撓みにくくされ、機能上撓みや曲げにくくする必要のある表示パネル２７、メインボード２８自体の機械的強度の向上ができる。更に、これら表示パネル２７、内部シャーシ２９、メインボード２８の３者が一体化された補強板としても機能するので、表示装置２全体の機械的強度を向上させることもできる。
【００４９】
また、表示パネル２７とメインボード２８とを内部シャーシ２９の板状の部分に重ねる構造であるので、表示装置２の厚さ方向に関して無駄なスペースの発生を抑えて、表示装置２の薄型化を妨げない。
【００５０】
また、表示パネル２７とメインボード２８とを１つの共通な内部シャーシ２９に対して取り付けることで、部品点数の増大を抑えてコスト低減が図れる。さらに、組み立て作業も容易になる。
【００５１】
前部筐体２６ａと後部筐体２６ｂとは例えば溶着あるいはねじ止めにて互いに組み合わされてこれら筐体２６ａ、２６ｂ間に上述した、表示パネル２７、内部シャーシ２９、メインボード２８が収容される。
【００５２】
前部筐体２６ａは窓孔４１が形成された枠状を呈し、その窓孔４１より表示パネル２７の表示画面６が露出される（図１参照）。
【００５３】
後部筐体２６ｂには、メインボード２８上の大部分の部品を露出させるような大きな窓孔４２が形成されている。この窓孔４２を通じて、メインボード２８を内部シャーシ２９から取り外さなくても実装された部品などの交換あるいは増設を行えるようになっている。
【００５４】
また、その窓孔４２の上方には収納部４３が形成されている。収納部４３は、後部筐体２６ｂの背面に当たる面が開放された凹所として形成されている。この収納部４３に、例えばマウスやリモートコントローラなどの電子機器１に付属される付属品を収納することで、それら付属品と電子機器１とをばらばらにすることなくまとめて持ち運ぶことができる。
【００５５】
後部筐体２６ｂの背面には放熱板３０が取り付けられる。放熱板３０は例えばアルミニウムや銅からなる。放熱板３０はメインボード２８の大部分を覆うが、図１２に示すように、半導体メモリ３７の実装箇所は露出させ、半導体メモリ３７の交換や増設を行えるようにしている。放熱板３０とメインボード２８との間の空間には、ヒートシンク４４とファン４５が設けられている。
【００５６】
ヒートシンク４４は、メインボード２８上に実装された発熱体（中央処理装置３６やグラフィックスチップチップ、その他ＬＳＩチップなど）、および放熱板３０に密着に接触され、発熱体３６から発する熱を効率よくヒートシンク４４を介して放熱板３０に拡散させて逃がすことができる。
【００５７】
図１２に示すように、放熱板３０には例えば円形状の吸気口５８が形成されており、ファン４５は、放熱板３０の内側表面（メインボード２８の対向面）における吸気口５８形成位置に取り付けられる。
【００５８】
図３に示すように、放熱板３０の背面にはバックパネル３１が取り付けられるが、バックパネル３１には、放熱板３０の吸気口５８に対応する位置に例えば複数の小孔からなる吸気口が形成されている。そして、ファン４５が回転すると、バックパネル３１の吸気口及び放熱板３０の吸気口５８を介して、放熱板３０とメインボード２８との間の空間に空気が吸い込まれる。
【００５９】
その吸い込まれた空気は、メインボード２８と放熱板３０との間の空間を上方へと向けて流れ、図３に示す後部筐体２６ｂの上端面に例えば多数の小孔として形成された排気口から外部へと排気される。収納部４３（図１２参照）の形成された部分ではその収納部４３の底面に形成されたスリット４３ｂを通り抜けて、排気口から外部へと排気される。
【００６０】
図３に示すように、後部筐体２６ｂの背面には、放熱板３０を覆うようにしてバックパネル３１が例えばねじ止めで取り付けられる。バックパネル３１は１枚の板部材であり、一般的なノートブック型コンピュータで採用されている複数枚のカバーで機器本体部を覆う構成のような継ぎ目がなく、すっきりとした見栄えのよい外観となり美観を損ねない。
【００６１】
バックパネル３１を取り外すと、図１２に示すように、放熱板３０の背面が露出するが、放熱板３０はメインボード２８上の半導体メモリ３７の取付部は覆っていない。これにより、半導体メモリ３７の交換や増設を放熱板３０を取り外さなくても行える。
【００６２】
図１、図４に示すように、表示装置２の上下左右の４つの端部を囲むようにして角リング状の枠部材６６が取り付けられている。枠部材６６の左右の側部６７はそれぞれ表示装置２の左右の側端部に沿って延在して、その側端部に固定されている。
【００６３】
枠部材６６の側部６７の上端部及び下端部は表示装置２の側端部から延出し、側部６７の上端部には表示装置２の上端部に沿って延在する上部６８が連結され、側部６７の下端部には表示装置２の下端部に沿って延在する下部６９が連結されている。
【００６４】
枠部材６６の上部６８と表示装置２の上端部との間には間隙が形成され、その間隙に手を差し入れて上部６８を把持することで電子機器１を持ち運ぶことができる。
【００６５】
枠部材６６の下部６９と表示装置２の下端部との間にも間隙が形成され、この間隙は後述するように入力操作板５の開閉動作を許容する。
【００６６】
枠部材６６の内部には、例えばアルミニウムやマグネシウムからなる帯状の補強部材が、枠部材６６の芯材として内蔵されている。図１１に示すように、補強部材において枠部材６６の側部６７に内蔵された部分７０には、表示装置２の内部へと延出する延出部７１が形成され、この延出部７１は、内部シャーシ２９に固定されている。
【００６７】
具体的には、内部シャーシ２９の側壁部３２から張り出す張出部７２に対して、補強部材の延出部７１がねじ止め、あるいは溶着などで固定される。これにより、表示装置２の周囲を囲む枠部材６６と、表示装置２の内部に内臓された内部シャーシ２９との相乗効果によって、表示装置２の外と内から表示装置２全体の剛性を高めて表示装置２の強度向上が図れる。
【００６８】
また、表示装置２の周囲を枠部材６６が取り囲んでいることによって、持ち運び時に表示装置２の端部が家具や壁などに直接ぶつかってしまうことを防げ、枠部材６６は表示装置２に加わる衝撃を緩和する防護部材としても機能する。
【００６９】
以上のように構成される表示装置２は以下に説明する支持部材３によって支えられる。
【００７０】
図３に示すように、支持部材３は略四角い枠状を呈し、ヒンジ７３（図５参照）を介して表示装置２に対して回動自在に連結されている。支持部材３は、枠状になっているので、表示装置２背面の下部に設けられたコネクタ６４を隠さず、よってコネクタ６４に対する各種ケーブルや端子の抜き差しに際してじゃまにならない。
【００７１】
表示装置２は、図２に示すように、支持部材３と、上述した枠部材６６の下部６９とによって、湾曲した下端部が設置面上から浮いた状態で設置面上に支持される。
【００７２】
表示装置２は立った姿勢でもって設置面上に支持される。ここで、立った姿勢とは垂直に立った姿勢に限らず、表示装置２の上端部側が後方に少し倒れた傾斜姿勢も含む。表示装置２の前方にいる使用者がその視線の方向に表示画面６を見ることができる姿勢であればよい。
【００７３】
表示装置２に対する支持部材３の回動角度を調整して、支持部材３と、枠部材６６の下部６９との開き角度を調整することで、表示装置２の傾き具合を調整でき、使用者が表示画面６を視認するのに最適な角度に調整可能である。
【００７４】
図４及び図６は、入力操作板５が閉位置にある状態を示す。入力操作板５の湾曲した後壁部１２は表示装置２の下端部（後壁部１２と同様に湾曲している）を覆い、後壁部１２に続く板状部８１は表示画面６に重なっている。板状部８１は表示画面６の全面を覆うので、枠部材６６の上部６８をつかんで電子機器１を持ち運ぶときや、非使用時に電子機器１を収納しておく場合などに表示画面６保護を行える。
【００７５】
入力操作板５が閉じられたこの状態で、更に支持部材３を表示装置２の背面側に寄せるように表示装置２と支持部材３との開き角度を小さくすれば、電子機器１の奥行き寸法が小さくされてスリムになるので、例えば壁などに立てかけた状態で置けば、非使用時の置き場所をとらない。
【００７６】
図１に示すように、表示装置２の前面側において表示画面６から外れた左右の側縁部寄りの箇所にロック金具８２が突設されている。そのロック金具８２に、入力操作板５の側縁部寄りの箇所に形成された係合孔８３内に設けられたロックレバー（図示せず）が係合することで、入力操作板５の閉状態が保持される。係合孔８３の脇に設けられた解除ボタン８４を押すことで、ロック金具８２とロックレバーとの係合は解除される。
【００７７】
入力操作板５の板状部８１を手前側に降ろすようにして（図７参照）、上述したヒンジ部材１３を介して表示装置２の背面に連結された後端部９ａ、９ｂを中心に入力操作板５を回動させると、板状部８１がキートップ面を上に向けた状態で表示装置２の下端部と設置面との間に広げられ、表示画面６の前方に展開される開状態となる。これにより、使用者のキー８を叩いての入力操作が可能となる。
【００７８】
このとき、回動中心である入力操作板５の後端部９ａ、９ｂが表示装置２の背面に連結されて、回動中心が表示装置２の後方に回り込んでいるので、入力操作板５の開位置への回動に伴って、入力操作板５において後端部寄りの部分が表示装置２の後方へと引っ込む。
【００７９】
すなわち、閉位置では表示装置２の前面に重なっている図６においてクロスハッチングで示す部分が、展開時には図８に示すように表示装置２の後方へと延出する。これにより、展開時における表示画面６前方への入力操作板５の突出長さを抑えることができ、使用時の設置面積の省スペース化が図れる。
【００８０】
上記クロスハッチングで示した部分は、入力操作板５の展開動作に伴って弧を描くようにして、表示装置２の下方を通り抜けて表示装置２の後方へと移動するので、表示装置２の下端部と設置面との間にはその移動を許容するための空間が上述した枠部材６６の下部６９によって確保されている。
【００８１】
入力操作板５の後端部９ａ、９ｂが、表示装置２の下端部よりも上方に位置する背面に連結されているので、展開された状態では後端部９ａ、９ｂから前端部に向けて若干下向き傾斜する。したがって、展開された状態で入力操作板５が自然にそのキートップ面が使用者の方に近づくように傾斜されるので、キー８の操作性が向上する。
【００８２】
また、入力操作板５には、上述した中央処理装置３６や半導体メモリ３７などの部品、更にはハードディスク装置３９、フレキシブル磁気ディスク装置３８、光ディスク装置４０などの記憶装置を搭載し実質的な機器本体を構成するメインボード２８が収容されておらず、薄型化及び軽量化が図られている。これにより、開閉動作時の使用者の負担が軽減される。更に、頻繁に開閉されることになる入力操作板５に振動に弱いハードディスク装置３９などが収容されていないのでそれら装置の故障も防げる。
【００８３】
以上、本発明の実施形態について説明したが、勿論、本発明はこれに限定されることなく、本発明の技術的思想に基づいて種々の変形が可能である。
【００８４】
枠部材６６において持ち運ぶときのハンドルとして機能する上部６８と、設置面上に接触して支持部材３と共に表示装置２を支えるスタンドとして機能する下部６９とを、側部６７を介して一体とせずに分離させて設けてもよい。
【００８５】
また、内部シャーシ２９の強度を更に上げるためにリブを設けたり、絞り加工を施してもよい。
【００８６】
また、図１８に示す内部シャーシ１１９のように、表示パネル固定部１１４を表示パネル受け部３３の側縁部に沿う方向の大部分を占めるように形成してもよい。この場合にも、表示パネル固定部１１４の両脇にスリットを形成して傾倒可能にし、表示パネル２７の横幅方向の寸法公差のばらつきに対応できるようにしている。
【００８７】
また、表示パネル固定部は、表示パネル受け部３３の側縁部ではなく、上縁部や下縁部に形成して、その表示パネル固定部に表示パネルの上端部や下端部を固定させるようにしてもよい。
【００８８】
また、本発明は、図１９に示される一般のノートブック型コンピュータのように、設置面上に載置される入力操作板１０５に対して、表示画面１０２を有する表示装置１０１が開閉される構造の電子機器にも適用可能である。
【００８９】
すなわち、その表面にキーボード１０４を有する入力操作板１０５には、メインボードやディスク装置などは内蔵されずに、この入力操作板１０５に対して、ヒンジ部材１０３を介して開閉される表示装置１０１の内部に、上述したような内部シャーシに表示パネル及びメインボードを取り付けてこれらを内蔵させるようにしてもよい。
【００９０】
また、入力操作板はケーブル接続やワイヤレス接続としてもよい。あるいは、入力操作板を備えていない電子機器にも本発明は適用可能である。
【図面の簡単な説明】
【００９１】
【図１】本発明の実施形態に係る電子機器の開状態における正面図である。
【図２】同電子機器の開状態における側面要部の斜視図である。
【図３】同電子機器の開状態における背面側から見た斜視図である。
【図４】同電子機器の閉状態における正面図である。
【図５】同電子機器の閉状態における背面側から見た斜視図である。
【図６】同電子機器の閉状態における斜視図である。
【図７】図６の状態から入力操作板が開き始めた状態の斜視図である。
【図８】同電子機器の開状態における斜視図である。
【図９】図８の状態を背面側から見た斜視図である。
【図１０】同電子機器の表示装置の分解斜視図である。
【図１１】図１０における要部の分解斜視図である。
【図１２】バックパネルが取り外された状態の上記電子機器を背面側から見た斜視図である。
【図１３】同電子機器の入力操作板の斜視図である。
【図１４】図１３から筐体が取り除かれた状態の図である。
【図１５】図１４における要部の拡大斜視図である。
【図１６】上記表示装置の背面要部の拡大斜視図である。
【図１７】図１６の表示装置に入力操作板が連結された状態を示す図である。
【図１８】変形例による表示装置内部における要部の分解斜視図である。
【図１９】変形例による電子機器の正面側から見た斜視図である。
【符号の説明】
【００９２】
１…電子機器、２…表示装置、３…支持部材、５…入力操作板、６…表示画面、９ａ，９ｂ…入力操作板の後端部、１２…入力操作板の後壁部、１３…ヒンジ部材、２６ａ…前部筐体、２６ｂ…後部筐体、２７…表示パネル、２８…回路基板（メインボード）、２９…内部シャーシ、３０…放熱板、３３…表示パネル受け部、３４…表示パネル固定部、６６…枠部材、７７…メインボード固定部、１１４…表示パネル固定部、１１９…内部シャーシ。
【図１】
2005084192.tif 000003
【図２】
2005084192.tif 000004
【図３】
2005084192.tif 000005
【図４】
2005084192.tif 000006
【図５】
2005084192.tif 000007
【図６】
2005084192.tif 000008
【図７】
2005084192.tif 000009
【図８】
2005084192.tif 000010
【図９】
2005084192.tif 000011
【図１０】
2005084192.tif 000012
【図１１】
2005084192.tif 000013
【図１２】
2005084192.tif 000014
【図１３】
2005084192.tif 000015
【図１４】
2005084192.tif 000016
【図１５】
2005084192.tif 000017
【図１６】
2005084192.tif 000018
【図１７】
2005084192.tif 000019
【図１８】
2005084192.tif 000020
【図１９】
2005084192.tif 000021